(57)【特許請求の範囲】
【請求項１】
側面に突栓が設置されたサーバーケースに取り付けることに用いられ、
前記突栓を収容するための取付スロットが設置された第一ガイドレールと、
前記第一ガイドレールにスライド可能に取り付けられる第二ガイドレールと、
第一端が前記第一ガイドレールに固定され、第二端に前記突栓を前記第一ガイドレールの取付スロットに固定するための定位孔が設置された固定部材と、
前記第一ガイドレールにスライド可能に取り付けられ、当接塊を備えるリリース部材と、
を備えるガイドレール装置であって、
前記リリース部材が前記固定部材に向かってスライディングする時、前記当接塊が前記固定部材の第二端と前記第一ガイドレールとの間に入ってスライディングして、前記突栓が前記固定部材の定位孔から抜け出すように設けられ、
前記第一ガイドレールは、側壁及び該側壁の上、下辺縁から外へ曲って形成された一対の折辺を備え、前記側壁及び前記一対の折辺によってガイドスロットを形成し、前記リリース部材は、前記ガイドスロットにスライド可能に収容されるスライド部を更に備えることを特徴とするガイドレール装置。
【請求項２】
前記固定部材の第二端の端縁が傾斜的に延在して前記リリース部材の当接塊を前記固定部材の第二端と前記第一ガイドレールとの間に導引するガイド部を形成することを特徴とする請求項１に記載のガイドレール装置。
【請求項３】
前記第一ガイドレールの取付スロットは、前記第一ガイドレールのスライド方向に直交するガイド部と、前記第一ガイドレールのスライド方向に平行し且つ前記ガイド部に連通される固定部と、を備え、前記第一ガイドレールを前記サーバーケースに固定する時、前記突栓が前記取付スロットの固定部に固定収容され且つ前記固定部材の定位孔を貫くことを特徴とする請求項１に記載のガイドレール装置。
【請求項４】
前記リリース部材の当接塊は、前記スライド部の前記第一ガイドレールに背向する片側且つ前記スライド部の一端に設置されることを特徴とする請求項１に記載のガイドレール装置。
【請求項５】
前記第一ガイドレールに位置制限孔が設置され、前記リリース部材のスライド部における前記第一ガイドレールに向かう片側に前記位置制限孔にスライド可能に収容される位置制限体が設置されることを特徴とする請求項１に記載のガイドレール装置。
【請求項６】
前記リリース部材のスライド部の中部に係止シートが設置され、前記第一ガイドレールが前記第二ガイドレールに相対してスライディングする時、前記第二ガイドレールが前記係止シートを推進して、前記係止シートが前記固定部材の第二端と前記第一ガイドレールとの間から前記当接塊を出すことにすることを特徴とする請求項１に記載のガイドレール装置。
【発明の詳細な説明】
【技術分野】
【０００１】
本発明は、ガイドレール装置に関するものである。
【背景技術】
【０００２】
ガイドレールは、広く利用される装置であって、引出しや棚式サーバーラックなどのような相対運動している二つの部材を連接することに用いられる。
【０００３】
よく見かけるガイドレールは、三段式ガイドレールであって、内部ガイドレール、中部ガイドレール及び外部ガイドレールを備える。キャビネットを例に挙げると、外部ガイドレールは、キャビネットの支持架に付設され、内部ガイドレールは、サーバーケースの側面に付設され、中部ガイドレールは、前記内部ガイドレールと前記外部ガイドレールとの間に連接されて前記サーバーケースの活動範囲を伸ばし、且つ前記内部ガイドレール及び前記中部ガイドレールが前記外部ガイドレールの軸方向に沿って前記外部ガイドレールに対して相対的にスライド可能であるため、サーバーラックが前記ガイドレールによってスライド式に開閉される。
【０００４】
前記外部ガイドレール及び内部ガイドレールを別々にキャビネットの支持架及びサーバーケースに付設するために、複数のねじ及びドライバーなどの工具を必要とするため、取付操作及び取り外し操作が複雑である。
【発明の概要】
【発明が解決しようとする課題】
【０００５】
本発明の目的は、前記課題を解決し、サーバーケースをガイドレールに便利に取り付けたり、ガイドレールからサーバーケースを便利に取り外したりすることができるガイドレール装置を提供することである。
【課題を解決するための手段】
【０００６】
前記目的を達成するため、本発明に係るガイドレール装置は、側面に突栓が設置されたサーバーケースに取り付けることに用いられ、前記突栓を収容するための取付スロットが設置された第一ガイドレールと、前記第一ガイドレールにスライド可能に取り付けられる第二ガイドレールと、第一端が前記第一ガイドレールに固定され、第二端に前記突栓を前記第一ガイドレールの取付スロットに固定するための定位孔が設置された固定部材と、前記第一ガイドレールにスライド可能に取り付けられ、当接塊を備えるリリース部材と、を備え、前記リリース部材が前記固定部材に向かってスライディングする時、前記当接塊が前記固定部材の第二端と前記第一ガイドレールとの間に入ってスライディングして、前記突栓が前記固定部材の定位孔から抜け出すように設けられる。
【発明の効果】
【０００７】
本発明に係るガイドレール装置において、固定部材によってサーバーケースに設置された突栓を固定し、且つリリース部材によって前記固定部材と前記突栓を分離させるとともに、第二ガイドレールが前記リリース部材の係止シートに当接することにより、前記固定部材を再びセットさせ、従ってサーバーケースをガイドレールに便利に取り付けたり、ガイドレールからサーバーケースを便利に取り外したりすることができる。
【図面の簡単な説明】
【０００８】
【図１】本発明の実施形態に係るガイドレール装置とサーバーケースの立体分解図である。
【図２】本発明の実施形態に係るガイドレール装置とサーバーケースの立体組立図である。
【図３】本発明の実施形態に係るガイドレール装置の使用状態を示す図である。
【図４】本発明の実施形態に係るガイドレール装置の使用状態を示す図である。
【図５】本発明の実施形態に係るガイドレール装置の使用状態を示す図である。
【発明を実施するための形態】
【０００９】
図１を参照すると、本発明の実施形態に係るガイドレール装置は、サーバーケース１００に取り付けることができ、第一ガイドレール２１０、第二ガイドレール２２０、固定部材３０及びリリース部材４０を備える。
【００１０】
前記サーバーケース１００の側面に突栓１０１が設置され、前記突栓１０１は、頚部及び寸法が前記頚部の寸法より大きい頭部からなる。
【００１１】
本実施形態において、前記第一ガイドレール２１０は、内部ガイドレールであって、側壁２１１及び該側壁２１１の上、下辺縁から外へ曲って形成された一対の折辺２１２を備える。前記側壁２１１及び前記一対の折辺２１２によってガイドスロット２１１２を形成する。前記第一ガイドレール２１０の側壁２１１の前方部に順次に位置制限孔２１３、Ｊ字形の取付スロット２１５及び複数の連接部２１７が設置される。前記取付スロット２１５は、前記第一ガイドレール２１０のスライド方向に直交するガイド部２１５２及び前記第一ガイドレール２１０のスライド方向に平行する固定部２１５４を備え、前記ガイド部２１５２及び前記固定部２１５４は、互いに連通される。これらの連接部２１７は、前記側壁２１１の外側面に突設される。本実施形態において、前記第二ガイドレール２２０は、中部ガイドレールであって、前記第一ガイドレール２１０をスライド可能に収容し、且つその先端の中部が内側へ曲って一対の推進部２２１を形成する。
【００１２】
前記固定部材３０は、弾性を有する長いシートであって、その第一端に複数の連接孔３２が開設され、その第二端に定位孔３４が開設され、且つ前記第二端の端縁が傾斜的に突出してガイド部３５を形成する。
【００１３】
前記リリース部材４０は、略シート状のスライド部４２を備える。前記スライド部４２の中部が外へ突出して係止シート４６を形成し、前記係止シート４６の両側に別々に内部へ突出する橋形状の位置制限体４８及び外へ突出する台形の当接塊４４が設置される。
【００１４】
図２及び図３を参照すると、組み立てる時、前記固定部材３０の連接孔３２を前記第一ガイドレール２１０の連接部２１７に被せて固定すると、前記固定部材３０が前記第一ガイドレール２１０の側壁２１１に貼り合わせることになり、前記固定部材３０の定位孔３４がちょうど前記第一ガイドレール２１０の取付スロット２１５に対応する。前記リーリス部材４０のスライド部４２の上下辺縁を前記第一ガイドレール２１０のガイドスロット２１１２にスライドさせると、前記リリース部材４０の当接塊４４がちょうど前記固定部材３０の第二端に対応され、且つ前記リリース部材４０の位置制限体４８が前記第一ガイドレール２１０の位置制限孔２１３を可動に貫いて、前記リリース部材４０を前記第一ガイドレール２１０にスライド可能に取り付ける。
【００１５】
前記サーバーケース１００を前記ガイドレール装置に取り付ける時、前記サーバーケース１００を先ず直交方向に沿って下へ移動してから続いて水平方向に沿って右へ移動すると、前記突栓１０１の頚部が前記第一ガイドレール２１０の取付スロット２１５のガイド部２１５２に沿って下へスライディングし、前記突栓１０１の頭部が前記固定部材３０の第二端を支えて前記第一ガイドレール２１０から離れる方向に反らせる。前記突栓１０１の頭部が水平方向に沿ってスライディングして前記取付スロット２１５の固定部２１５４に入り込む時、前記突栓１０１の頭部が前記固定部材３０の定位孔３４に入り、前記固定部材３０の第二端が前記突栓１０１に支えられないため元様に回復し、前記固定部材３０の定位孔３４の辺縁が前記突栓１０１の頭部を係止して、前記突栓１０１を前記第一ガイドレール２１０の取付スロット２１５の固定部２１５４に固定し、従って前記第一ガイドレール２１０を前記サーバーケース１００に固定する。
【００１６】
図２及び図４を参照すると、前記第一ガイドレール２１０と前記サーバーケース１００を取り外す時、先ず、前記固定部材３０の第二端に向かって前記リリース部材４０を推進すると、前記当接塊４４が前記固定部材３０のガイド部３５から前記固定部材３０及び前記第一ガイドレール２１０の側壁２１１との間に入ってスライディングし、且つ前記当接塊４４が前記固定部材３０の第二端を支えて前記サーバーケース１００から離れる方向に反らせるため、前記突栓１０１が前記固定部材３０の定位孔３４から抜け出す。次に、前記サーバーケース１００を先ず水平方向に沿って左へ移動してから続いて直交方向に沿って上へ移動して、前記突栓１０１が前記第一ガイドレール２１０の取付スロット２１５を抜け出すことにする。この時、前記リリース部材４０の位置制限体４８が前記第一ガイドレール２１０の位置制限孔２１３の右側に当接される。
【００１７】
図２及び図５を参照すると、前記第一ガイドレール２１０を推進して前記第二ガイドレール２２０に入り込ませる時、前記第二ガイドレール２２０の推進部２２１が前記リリース部材４０の係止シート４６に当接されて、前記リリース部材４０を左へ移動させるため、前記リリース部材４０の当接塊４４が前記固定部材３０の第二端から離れて、前記固定部材３０が前記第一ガイドレール２１０の側壁２１１に貼り合わせる。従って前記サーバーケース１００を再び取り付ける時、前記リリース部材４０及び前記固定部材３０を適時に再びセットして、前記固定部材３０によって前記突栓１０１を前記第一ガイドレール２１０に固定することができる。もちろん、前記リリース部材４０を前記固定部材３０から離れる方向に向かって移動させて、前記固定部材３０を再びセットすることができる。
【００１８】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１９】
３０  固定部材
３２  連接孔
３４  定位孔
３５  ガイド部
４０  リリース部材
４２  スライド部
４４  当接塊
４６  係止シート
４８  位置制限体
１００  サーバーケース
１０１  突栓
２１０  第一ガイドレール
２１１  側壁
２１２  折辺
２１３  位置制限孔
２１５  取付スロット
２１７  連接部
２２１  推進部
２２０  第二ガイドレール
２１１２  ガイドスロット
２１５２  ガイド部
２１５４  固定部
【図１】
0005591488.tif 000002
【図２】
0005591488.tif 000003
【図３】
0005591488.tif 000004
【図４】
0005591488.tif 000005
【図５】
0005591488.tif 000006